(57)【特許請求の範囲】
【請求項１】
一端が固体撮像素子と接続され、複数の信号線を束ねてその外側にシールド部材を設けた第１のケーブルと、１本以上の信号線がその外側のシールド部材で覆われた第２の信号ケーブルとが外部の信号処理装置に接続可能なコネクタ部を有する内視鏡において、
上記第１及び第２の信号ケーブルにおける上記コネクタ部側の端部の両シールド部材露出部分を、導電性を有するケーブル固定部材に固定し、更に該ケーブル固定部材を導電性を有する上記コネクタ部の構成部材に固定し、上記複数の信号ケーブルにおけるシールド部材、ケーブル固定部材、そしてコネクタ部の構成部材とを、同電位にする手段を設けたことを特徴とする内視鏡。
【請求項２】
カメラコントロールユニットに接続可能なコネクタ部を有し、複数の信号線を束ねてその外側にシールド部材を設けた信号ケーブルを複数本内蔵した内視鏡において、
上記複数の信号ケーブルにおける上記コネクタ部側の端部のシールド部材露出部分を、導電性を有するケーブル固定部材に固定し、更に該ケーブル固定部材を、導電性を有する前記コネクタ部の構成部材に固定し、上記複数の信号ケーブルにおけるシールド部材、ケーブル固定部材、そしてコネクタ部の構成部材とを、同電位にしたことを特徴とする内視鏡。
【請求項３】
上記シールド部材は金属製の網管であることを特徴とする、請求項２に記載の内視鏡。
【発明の詳細な説明】
【０００１】
【発明の属する技術分野】
本発明は固体撮像素子を備えた内視鏡に関する。
【０００２】
【従来の技術】
近年、体腔内に細長な挿入部を挿入することにより、体腔内の臓器を観察したり、必要に応じ、内視鏡の処置具チャンネルに挿通した処置具を用いて、各種治療処理のできる内視鏡が広く使用されている。中でも、ＣＣＤ（電荷結合素子）などの固体撮像素子を撮像手段に用いた電子内視鏡は急速に普及している。
【０００３】
このような電子内視鏡においては、周知のように、内蔵される電気部品に対してシールドを施す必要がある。特開平８−１３６８２５では、信号ケーブルは中心部に複数の入出力信号線を有し、これらの信号線を束ねた外周がシールド用の金属製網管で覆われ、更にその外周は電気絶縁材料よりなる外皮シールドで被覆されている。
【０００４】
そして金属製網管は、固体撮像素子の外周部をシールドする筒状のシールド部材に電気的に接続されており、また信号処理回路基板より固体撮像素子に対する信号処理を行うＣＣＵ（カメラコントロールユニット）側の信号ケーブルについても、外周に金属製網管を設け、ＣＣＵコネクタに電気的に接続して、高いシールド効果を得るようになっている。
【０００５】
また、操作性を向上させるために、内視鏡の操作部にリモートスイッチを設けることで、画像強調、ホワイトバランス調整、ＶＴＲへの録画等の各種遠隔操作を可能にしたものがある。
【０００６】
【発明が解決しようとする課題】
この場合、リモートスイッチよりＣＣＵ側は、撮像系の信号ケーブルとリモートスイッチ系の信号ケーブルの２系統となるが、シールド性能を高めるために、ＣＣＵコネクタの内部で、それぞれのケーブルのシールド用金属製網管を導通させ、さらに内視鏡内部の導電性部材と導通させ、等電位化する必要がある。
【０００７】
従来はケーブル同士を銅線で縛ったり、信号線で２つのシールド間、シールドと内視鏡内部の導電性部材間を接続したりしていたが、組立が非常に困難であるという問題があった。
【０００８】
（発明の目的）
本発明は、上述した点に鑑みてなされたもので、組立作業が簡単で、有害な電磁ノイズの影響を低減できる内視鏡を提供することを目的とする。
【０００９】
【課題を解決するための手段】
一端が固体撮像素子と接続され、複数の信号線を束ねてその外側にシールド部材を設けた第１のケーブルと、１本以上の信号線がその外側のシールド部材で覆われた第２の信号ケーブルとが外部の信号処理装置に接続可能なコネクタ部を有する内視鏡において、
上記第１及び第２の信号ケーブルにおける上記コネクタ部側の端部の両シールド部材露出部分を、導電性を有するケーブル固定部材に固定し、更に該ケーブル固定部材を導電性を有する上記コネクタ部の構成部材に固定し、上記複数の信号ケーブルにおけるシールド部材、ケーブル固定部材、そしてコネクタ部の構成部材とを、同電位にする手段を設けたことにより、組立作業が簡単で、有害な電磁ノイズの影響を確実に低減できる。
【００１０】
また、カメラコントロールユニットに接続可能なコネクタ部を有し、複数の信号線を束ねてその外側にシールド部材を設けた信号ケーブルを複数本内蔵した内視鏡において、
上記複数の信号ケーブルにおける上記コネクタ部側の端部のシールド部材露出部分を、導電性を有するケーブル固定部材に固定し、更に該ケーブル固定部材を、導電性を有する前記コネクタ部の構成部材に固定し、上記複数の信号ケーブルにおけるシールド部材、ケーブル固定部材、そしてコネクタ部の構成部材とを、同電位にすることにより、組立作業が簡単で、有害な電磁ノイズの影響を確実に低減できる。
【００１１】
【発明の実施の形態】
以下、図面を参照して本発明の実施の形態を説明する。
（第１の実施の形態）
図１ないし図６は本発明の第１の実施の形態に係り、図１は本発明の第１の実施の形態の電子内視鏡の外観構造を示し、図２は電子内視鏡を備えた内視鏡システムの概略の構成を示し、図３は撮像系信号ケーブルの断面構造を示し、図４はＣＣＵコネクタの断面構造を示し、図５はＣＣＵコネクタにおけるＣＣＵケーブルを固定するガスケットの断面を示し、図６はＣＣＵケーブルのケーブル固定管の断面を示す。
【００１２】
図１に示すように本発明の第１の実施の形態の電子内視鏡１は、体腔内等に挿入される細長の細長の挿入部２と、この挿入部２の基端側に把持部を兼ねるように連設された太径の操作部３と、この操作部３からその後方側に延出された可撓性を有するユニバーサルコード４とが設けられている。
挿入部２は、先端側より対物光学系等を備えた硬性の先端部５と、湾曲可能な湾曲部６と、軟性を有する軟性管部７とより構成されている。なお、軟性管部７の代わりに硬性の硬性患部にしても良い。
【００１３】
操作部３には、湾曲部６を遠隔的に湾曲操作するための湾曲レバー８が設けられている。さらに操作部３には、照明光を伝送するライトガイドファイバ及び、各種信号を伝送する信号ケーブルを内蔵した可撓性材質からなるユニバーサルコード４が連設されている。
【００１４】
このユニバーサルコード４は、挿入部２の長さに対して充分長い長さを有しており、終端部には外部の光源装置１３（図２参照）に接続可能なライトガイドコネクタ９が接続されている。
【００１５】
ライトガイドコネクタ９はその側面よりＣＣＵケーブル１０が分岐延設され、その終端部には制御装置或いは信号処理装置としてカメラコントロールユニット（以下、ＣＣＵと略記）に電気的に接続可能なＣＣＵ接続用コネクタ（以下、ＣＣＵコネクタと略記）１１が接続されている。
【００１６】
図２は電子内視鏡１を用いて内視鏡検査する場合の内視鏡システム１２の構成を示す。
この内視鏡システム１２は、固体撮像素子を内蔵した電子内視鏡１と、この電子内視鏡１に照明光を供給する光源装置１３と、電子内視鏡１の固体撮像素子としての電荷結合素子（ＣＣＤと略記）１４に対する信号処理を行うＣＣＵ１５と、このＣＣＵ１５に接続され、映像信号を表示するカラーモニタ１６とから構成される。
【００１７】
電子内視鏡１内に挿通されたライトガイドファイバ１７は、その手元側端部のライトガイドコネクタ９を光源装置１３に接続することにより、光源装置１３内のランプ１８による照明光が供給され、このライトガイドファイバ１７により伝送されて先端部５の照明窓に固定された先端面から前方に照明光を出射し、体腔内の患部等の被写体を照明する。
【００１８】
この先端部５における照明窓に隣接して設けられた観察窓には対物レンズ１９が取り付けられ、その結像位置にはＣＣＤ１４が配置されており、結像された光学像を光電変換する。
このＣＣＤ１４は撮像系信号ケーブル２１が接続され、挿入部２、操作部３、ユニバーサルコード４を経てＣＣＵコネクタ１１に至る。この撮像系信号ケーブル２１の断面構造を図３に示す。
【００１９】
図３に示すように撮像系信号ケーブル２１は中心部に複数の入出力信号線２２を有し、これらの信号線２２は束ねられ、その外周に配置したシールド部材としての金属製網管２３で覆われてシールドされ、更にこの金属製網管２３をその外周に配置した電気絶縁材料からなる外皮チューブ２４で被覆している。なお、シールド部材は金属製網管２３に限らず、金属箔テープを螺旋状に巻き付けたものでも良い。
【００２０】
また、操作部３にはフリーズ、レリーズ、画像強調、ホワイトバランス調整等の遠隔操作を行なうリモートスイッチ２５が設けられており、リモートスイッチ２５に接続されたリモート信号を伝送するリモートスイッチケーブル２６はユニバーサルコード４を経てＣＣＵコネクタ１１に至る。
リモートスイッチケーブル２６も、図３に示す撮像系信号ケーブル２１とほぼ同様な構造となっている。なお、リモートスイッチケーブル２６は撮像系信号ケーブル２１の場合よりも信号線２２の本数が少ない。
【００２１】
なお、撮像系信号ケーブル２１はその先端がＣＣＤ１４と接続され、その場合、金属製網管２３はＣＣＤ１４の外周部をシールドする筒状の電気シールド部材２７と接続されている。
この撮像系信号ケーブル２１の挿入部先端側の金属製網管２３を電気シールド部材２７と接続する構造は、従来技術（特開平８−１３６８２５）と同様である。
【００２２】
上記ＣＣＵコネクタ１１をＣＣＵ１５のコネクタ受け３１に接続することによって、ＣＣＤ１４及びリモートスイッチ２５はＣＣＵ１５に内蔵されたＣＣＤドライブ回路３２とビデオプロセス回路３３とに電気的に接続される。
【００２３】
そして、ＣＣＤドライブ回路３２はＣＣＤドライブ信号をＣＣＤ１４に印加して光電変換された信号を読み出し、ＣＣＤ１４から出力された信号はビデオプロセス回路３３に入力され、このビデオプロセス回路３３により映像信号に変換される。そして、このビデオプロセス回路３３により生成された映像信号はカラーモニタ１６に出力され、ＣＣＤ１４で撮像された内視鏡画像を表示する。
【００２４】
また、リモートスイッチ２５のフリーズスイッチの操作によりフリーズ指示を行うと、その指示信号はビデオプロセス回路３３に入力され、ビデオプロセス回路３３内のメモリへの画像書込を禁止して、その直前に書き込まれた画像を繰り返し出力する静止画（フリーズ画）の表示状態にする。
【００２５】
また、リモートスイッチ２５のレリーズスイッチの操作によりレリーズ指示を行うと、ビデオプロセス回路３３の出力端にＶＴＲ等の画像記録装置が接続されていると、その画像記録装置に画像記録の指示信号を送り、録画を開始させる。また、画像強調、ホワイトバランス調整の指示を行った場合も、ビデオプロセス回路３３内の画像強調回路、ホワイトバランス調整回路に画像強調、ホワイトバランス調整の制御信号が入力され、画像強調、ホワイトバランス調整を行うことができるようにしている。
【００２６】
図４はＣＣＵケーブル１０の端部に設けたＣＣＵコネクタ１１の断面図である。
ＣＣＵケーブル１０を構成する撮像系信号ケーブル２１とリモートスイッチケーブル２６とは、まとめてシリコンチューブ３４で外装され、さらにその外側にウレタン樹脂による外皮３５で被覆されている。
【００２７】
撮像系信号ケーブル２１とリモートスイッチケーブル２６とを弾性の大きいシリコンチューブ３４によって被覆することにより、ＣＣＵケーブル１０を屈曲させても断面が偏平にならないようにしている。
またシリコンチューブ２４の両端は固定されておらず、屈曲させても自由に移動可能である。そして、この撮像ケーブル１０における外皮３５は中空の円錐形状を設けた樹脂性等の折れ止め３６の内側に配置した第１のＣＣＵケーブル固定口金３７に接着後、糸巻きで水密に固定されている。
【００２８】
この外皮３５が固定されたこの第１のＣＣＵケーブル固定口金３７の内側を通って延出された撮像系信号ケーブル２１とリモートスイッチケーブル２６は折れ止め３６の内側に配置したＥＭＣ性能を上げるため（有害な電磁ノイズの放射を低減するため）の第１のフェライトコア３８内を通し、この第１のフェライトコア３８に離間して配置された第２のフェライトコア３９を通して、ＣＣＵコネクタ１１の内部導体としての金属製の第２のＣＣＵケーブル固定口金（コネクタ本体）４０で固定している。
この第２のＣＣＵケーブル固定口金４０はほぼ円筒状で絶縁性のカバー部材４１の内側に配置され、このカバー部材４１に折れ止め３６が固定されている。
【００２９】
上記第１のフェライトコア３８と第２のＣＣＵケーブル固定口金４０に隣接する第２のフェライトコア３９との間には撮像系信号ケーブル２１とリモートスイッチケーブル２６とが中空部内に挿通された弾性を持つガスケット４２とナット４３とが配置され、このナット４３は第２のＣＣＵケーブル固定口金４０の雌ネジ部に螺合している。また、ガスケット４２の断面は図５に示すように内径が卵形で、ゴムなどの弾性部材からなる。
【００３０】
そして、第２のＣＣＵケーブル固定口金４０に螺合するナット４３を締め付けることで、ガスケット４２は軸方向に潰れ、内側に挿通された撮像系信号ケーブル２１とリモートスイッチケーブル２６とが密着するように圧迫されて固定されるようになっている。
【００３１】
この２本のケーブル２１、２６の端部の部分は、外皮チューブ２４が剥がされ、金属製網管２３が露出した状態で、図６に示したように円柱に２つの挿通孔を設けた導電性を有する例えば金属製のケーブル固定管４４の各挿通孔に挿通された状態で半田５２によりそれぞれ金属製網管２３がケーブル固定管４４に固定されると共に、各金属製網管２３はケーブル固定管４４と電気的に導通させている。
【００３２】
更にケーブル固定管４４は金属製ビス４５により、導電性の第２のＣＣＵケーブル口金４０に固定されている。また、各金属製網管２３はケーブル固定管４４及び金属製ビス４５を介して第２のＣＣＵケーブル口金４０と電気的に導通させている。
【００３３】
この第２のＣＣＵケーブル口金４０におけるビス４５の位置よりも端部側は拡径にされて開口し、この開口部分には固定部材４６を介して円板状のピン取付部材としての絶縁板４７が固着され、この絶縁板４７の各ピン固定用孔にはそれぞれコネクタピン４８が取付けられている。
【００３４】
そして、各ケーブル２１、２６の信号線２２はそれぞれコネクタピン４８の後端に半田付けされている。信号線２２のシールド線４９もグランド（ＧＮＤ）に接続されるコネクタピン４８に接続されており、その接続後、この接続部付近は絶縁性の接着剤５０で固められている。
【００３５】
なお、固定部材４６は円筒状に突出し、その途中位置に凹部が設けてあり、洗滌等を行なう際、コネクタピン３８に水分が付着するのを防止する防水キャップ５１を取り付けられるようにしている。
【００３６】
また、カバー部材４１の前方に突出する（絶縁板４７の外周部分の）第２のＣＣＵケーブル固定口金４０は絶縁性のコネクタ固定リング５３で覆われている。そして、このコネクタ固定リング５３により、このＣＣＵコネクタ１１をＣＣＵ１５のコネクタ受け３１に着脱自在で接続できるようにしている。
【００３７】
また、図２に示すようにＣＣＵ１５はその内部のＣＣＤドライブ回路３２とビデオプロセス回路３３とを導電性のシールド枠体５４で覆い、このシールド枠体５４をＣＣＤドライブ回路３２とビデオプロセス回路３３のグランドとコンデンサを介して或いはコンデンサを介することなく直接に接続して、ノイズの放射及び入射を遮蔽するようにしている。
【００３８】
なお、ＣＣＤドライブ回路３２とビデオプロセス回路３３のグランドは、このＣＣＵ１５の外装ケースとは絶縁され、ＣＣＵ１５の外装ケースは商用電源のグランドとは絶縁されている。そして、ＣＣＵ１５のが外装ケース内の図示しない絶縁トランス等を介して商用電源とは絶縁された電源回路を経てＣＣＤドライブ回路３２とビデオプロセス回路３３にはその動作に必要な電源が供給されるようになっている。
【００３９】
上述のように本実施の形態では、ＣＣＵケーブル１０内を挿通された第１の信号ケーブルとしての撮像系信号ケーブル２１と第２の信号ケーブルとしてのリモートスイッチケーブル２６の後端をＣＣＵコネクタ１１内で、その端部の外皮チューブ２４を剥離して各々のシールド部材としての両金属製網管２３部分を半田付けで導電性のケーブル固定管４４に固定し、このケーブル固定管４４はその外周のＣＣＵコネクタ１１の内部導体としての第２のＣＣＵケーブル固定口金４０に金属製ビス４５を介して固定することにより、両金属製網管２３はケーブル固定管４４とＣＣＵコネクタ１１の（内部導体としての）第２のＣＣＵケーブル固定口金４０と電気的に接続されて等電位にする電磁ノイズの放射及び入射を防止する電磁ノイズシールド機構（電磁ノイズ遮蔽機構）を構成している。
【００４０】
このように本実施の形態ではＣＣＵケーブル１０内を挿通された撮像系信号ケーブル２１とリモートスイッチケーブル２６の端部はＣＣＵコネクタ１１内で、各端部の外皮チューブ２４を剥離して露出する各金属製網管２３部分を導電性のケーブル固定管４４の挿通孔に通して半田５２で固定する等することにより簡単な作業で組立ができ、両信号ケーブル２１と２６とのシールド部材をＣＣＵコネクタ１１のシールド用部材と等電位化でき、高いシールド機能を確保することができるようにしている。
従って、撮像系信号ケーブル２１とリモートスイッチケーブル２６の各々の金属製網管２３とケーブル固定管４４と第２のＣＣＵケーブル固定口金４０とが等電位化されることで、有害な電磁波ノイズの放射及び入射の影響を受けにくできる。
【００４１】
例えば、撮像系信号ケーブル２１におけるＣＣＤ出力信号は一般に微弱であり、その信号を伝送する信号線２２には外部からの電磁ノイズが入射するとその影響を受け易いが、金属製網管２２等によりその入射を有効に防止でき、Ｓ／Ｎが良い状態でビデオプロセス回路３３に伝送でき、カラーモニタ１６にはＳ／Ｎの良い、つまり画質の良い内視鏡画像を表示できる。
また、ＣＣＤドライブ信号を伝送する信号線２２は例えば水平転送信号等のような周波数の高い信号を伝送する際に外部に電磁ノイズを放射し易くなるが、その放射を金属製網管２２等により有効に防止できる。
【００４２】
本実施の形態は以下の効果を有する。
簡単な作業で組立ができ、しかも有害な電磁ノイズの放射及び入射を確実に低減でき、Ｓ／Ｎの良い内視鏡画像を得ることができる。
コネクタ側のケーブルの固定が強固となり、ケーブルに引っ張りのストレスが加わっても、信号線とコネクタピンの接続部の断線が生じない。
【００４３】
組立作業が簡単。
【００４４】
（第２の実施の形態）
次に本発明の第２の実施の形態を図７を参照して説明する。
図７に示す内視鏡システム１２′は第２の実施の形態の内視鏡６１を有し、この内視鏡６１は光学式内視鏡６２と、この光学式内視鏡６２に着脱自在に接続（装着）されるテレビカメラ６３とからなる。つまり、この内視鏡６１はテレビカメラ外付け内視鏡で構成される。
【００４５】
光学式内視鏡６２は、細長の挿入部６４と、その後端に設けた操作部６５と、この操作部６５の後端に設けた接眼部６６と、操作部６５の側部から延出されたライトガイドケーブル６７とを有し、ライトガイドケーブル６７の端部のライトガイドコネクタ６８は光源装置１３に着脱自在で接続される。
【００４６】
そして、その接続により、ライトガイドケーブル６８内に挿通されたライトガイドファイバ６９の後端に照明光が供給され、この照明光はライトガイドファイバ６９により伝送され、挿入部６４の先端部のライトガイドファイバ先端面から伝送した照明光を患部等の被写体側に出射する。
【００４７】
また、挿入部６４の先端部の観察窓には対物レンズ７１が取り付けてあり、その対物レンズ７１によりその結像位置に光学像を結像し、その光学像はイメージガイドファイバ７２により後方側に伝送され、接眼部６６の接眼レンズ７３により拡大観察できる。
【００４８】
この接眼部６６には、テレビカメラ６３が装着された場合には、テレビカメラ６３に設けた結像レンズ７４により、結像位置に配置したＣＣＤ７５に光学像を結び、このＣＣＤ７５により光電変換される。
【００４９】
このＣＣＤ７５はカメラケーブル７６内に挿通した撮像系信号ケーブル２１と接続され、また、このテレビカメラ６３に設けたリモートスイッチ２５に接続されたリモートスイッチケーブル２６もカメラケーブル７５内に挿通され、撮像系信号ケーブル２１とカメラケーブル７５はその後端のＣＣＵコネクタ１１のコネクタピン４８に接続されている。
【００５０】
なお、テレビカメラ６３におけるＣＣＵ７５は導電性のシールド枠７６で覆われており、このシールド枠７６は撮像系信号ケーブル２１の前端で金属製網管２３と接続されている。
【００５１】
第１の実施の形態で説明したように上記ＣＣＵコネクタ１１はＣＣＵ１５のコネクタ受け３１に着脱自在で接続される。
このＣＣＵコネクタ１１の構造は第１の実施の形態で説明したものと同様である。また、ＣＣＵ１５の構成も第１の実施の形態で説明したものと同様である。
本実施の形態においても、第１の実施の形態と同様の効果を有する。
【００５２】
なお、上述の説明ではＣＣＵコネクタ１１内で撮像系信号ケーブル２１とリモートスイッチケーブル２６、つまり第１及び第２の信号ケーブルを各シールド部材をＣＣＵコネクタ１１のシールド部材に電気的に接続固定する構造について説明したが、第３の信号ケーブルがある場合にもほぼ同様にＣＣＵコネクタ１１のシールド部材に電気的に接続固定するようにできる。
【００５３】
つまり第１、第２及び第３の信号ケーブルがある場合には、例えば図４のケーブル固定管４４に３つの挿通孔を設けるようにすれば、上述と同様に簡単に等電位化することができる。この他、第４以上の信号ケーブルがある場合にも同様に適用できる。
また、第２或いは第３の信号ケーブルについては複数の信号線の場合に限らず、１本の信号線（シールド線も入れると２本）の場合にも適用できる。
【００５４】
［付記］
１．一端が固体撮像素子と接続され、複数の信号線を束ねてその外側にシールド部材を設けた第１のケーブルと、１本以上の信号線がその外側のシールド部材で覆われた第２の信号ケーブルとが外部の信号処理装置に接続可能なコネクタ部を有する内視鏡において、
上記第１及び第２の信号ケーブルにおける上記コネクタ部側の端部の両シールド部材露出部分を、導電性を有するケーブル固定部材に固定し、更に該ケーブル固定部材を導電性を有する上記コネクタ部の構成部材に固定し、上記複数の信号ケーブルにおけるシールド部材、ケーブル固定部材、そしてコネクタ部の構成部材とを、同電位にする手段を設けたことを特徴とする内視鏡。
【００５５】
２．カメラコントロールユニットに接続可能なコネクタ部を有し、複数の信号線を束ねてその外側にシールド部材を設けた信号ケーブルを複数本内蔵した内視鏡において、
上記複数の信号ケーブルにおける上記コネクタ部側の端部のシールド部材露出部分を、導電性を有するケーブル固定部材に固定し、更に該ケーブル固定部材を、導電性を有する前記コネクタ部の構成部材に固定し、上記複数の信号ケーブルにおけるシールド部材、ケーブル固定部材、そしてコネクタ部の構成部材とを、同電位にしたことを特徴とする内視鏡。
３．上記シールド部材は金属製の網管であることを特徴とする付記２に記載の内視鏡。
【００５６】
４．カメラコントロールユニットに接続可能なコネクタ部と、
複数の信号線を束ねてその外側にシールド部材を設けた信号ケーブルと、
上記複数の信号ケーブルにおける上記コネクタ部側の端部のシールド部材露出部分を固定する、導電性を有するケーブル固定部材と、
このケーブル固定部材を固定する、導電性を有する上記コネクタ部の構成部材と、
を具備しており、上記複数の信号ケーブルにおけるシールド部材、ケーブル固定部材、そしてコネクタ部の構成部材とを、同電位にしたことを特徴とする内視鏡。
【００５７】
５．上記付記２、４において、上記シールド部材は金属製の網管である。
６．上記付記２において、上記複数の信号ケーブルの少なくとも一つは、内視鏡挿入部先端に配置された固体撮像素子に接続されている。
７．上記付記４において、上記信号ケーブルは複数設けられている。
８．上記付記４において、上記信号ケーブルは内視鏡挿入部先端に配置された固体撮像素子に接続されている。
【００５８】
９．上記付記１において、上記第２の信号ケーブルは前記信号処理装置の動作を遠隔制御するリモート信号を伝送する。
１０．上記付記１において、上記内視鏡は細長の挿入部の先端に固体撮像素子を配置した電子内視鏡である。
１１．上記付記１において、上記内視鏡は光学式内視鏡に装着され、固体撮像素子を内蔵したテレビカメラ外付け内視鏡である。
【００５９】
【発明の効果】
以上説明したように本発明によれば、一端が固体撮像素子と接続され、複数の信号線を束ねてその外側にシールド部材を設けた第１のケーブルと、１本以上の信号線がその外側のシールド部材で覆われた第２の信号ケーブルとが外部の信号処理装置に接続可能なコネクタ部を有する内視鏡において、
上記第１及び第２の信号ケーブルにおける上記コネクタ部側の端部の両シールド部材露出部分を、導電性を有するケーブル固定部材に固定し、更に該ケーブル固定部材を導電性を有する上記コネクタ部の構成部材に固定し、上記複数の信号ケーブルにおけるシールド部材、ケーブル固定部材、そしてコネクタ部の構成部材とを、同電位にする手段を設けているので、組立作業が簡単で、有害な電磁ノイズの影響を確実に低減できる。
【００６０】
また、カメラコントロールユニットに接続可能なコネクタ部を有し、複数の信号線を束ねてその外側にシールド部材を設けた信号ケーブルを複数本内蔵した内視鏡において、
上記複数の信号ケーブルにおける上記コネクタ部側の端部のシールド部材露出部分を、導電性を有するケーブル固定部材に固定し、更に該ケーブル固定部材を、導電性を有する前記コネクタ部の構成部材に固定し、上記複数の信号ケーブルにおけるシールド部材、ケーブル固定部材、そしてコネクタ部の構成部材とを、同電位にするようにしているので、組立作業が簡単で、有害な電磁ノイズの影響を確実に低減できる。
【図面の簡単な説明】
【図１】本発明の第１の実施の形態の電子内視鏡の外観を示す図。
【図２】電子内視鏡を備えた内視鏡システムの概略の構成を示すブロック図。
【図３】撮像系信号ケーブルの構造を示す断面図。
【図４】ＣＣＵコネクタの構造を示す断面図。
【図５】ＣＣＵコネクタにおけるガスケットの構造を示す断面図。
【図６】ＣＣＵコネクタにおけるケーブル固定管の構造を示す断面図。
【図７】本発明の第２の実施の形態を備えた内視鏡システムの概略の構成を示すブロック図。
【符号の説明】
１…電子内視鏡
２…挿入部
３…操作部
４…ユニバーサルコード
１０…ＣＣＵケーブル
１１…ＣＣＵコネクタ
１４…ＣＣＤ
１５…ＣＣＵ
１９…対物レンズ
２１…撮像系信号ケーブル
２２…（入出力）信号線
２３…金属製網管
２４…外皮チューブ
２５…リモートスイッチ
２６…リモートスイッチケーブル
２７…電気シールド部材
３１…コネクタ受け
３２…ＣＣＤドライブ回路
３３…ビデオプロセス回路
３６…折れ止め
３８、３９…フェライトコア
４０…ＣＣＵケーブル固定口金
４１…カバー部材
４２…ガスケット
４３…ナット
４４…ケーブル固定管
４５…ビス
４６…固定部材
４８…コネクタピン
４９…シールド線
【図１】
0003583661.tif 000002
【図２】
0003583661.tif 000003
【図３】
0003583661.tif 000004
【図４】
0003583661.tif 000005
【図５】
0003583661.tif 000006
【図６】
0003583661.tif 000007
【図７】
0003583661.tif 000008